(57)【特許請求の範囲】
【請求項１】
発光素子を実装するための実装面と、前記実装面と反対側の裏面を含むベースと、固定板部と、前記固定板部に対し略垂直方向に起立した本体板部を夫々含む複数の放熱板と、リベットと、を含み、
前記夫々の放熱板は、前記ベースの裏面に前記固定板部が前記リベットで固定した状態で配置され、前記本体板部の一端が前記裏面の中心側に位置し、前記本体板部の他端が前記裏面の周辺側に位置し、
複数の前記放熱板において、前記本体板部一端は、前記裏面の周辺から前記他端を通り中心点に向かう半径方向に対し、前記裏面に沿って同じ方向に傾斜するとともに前記本体板部の一端側の延長面が前記中心点を通らない状態で位置し、
前記リベットの前記実装面側の先端が前記実装面から突出していないことを特徴とする照明器具用ヒートシンク。
【請求項２】
前記ベースにおいて、中央部及び周辺部の少なくとも一方に孔が設けられていることを特徴とする請求項１記載の照明器具用ヒートシンク。
【請求項３】
前記放熱板が、前記本体板部の一部が前記孔の部分に位置する状態で前記ベースに配置されていることを特徴とする請求項２記載の照明器具用ヒートシンク。
【請求項４】
前記放熱板の材質は、アルミニウム、マグネシウム及びその合金、カーボンコンポジット、並びにカーボンからなる群から選択される少なくとも一つである請求項１から３のいずれか一項に記載の照明器具用ヒートシンク。
【請求項５】
発光素子、照明器具用ヒートシンク、及び照明カバーを含み、
前記照明器具用ヒートシンクは、請求項１から４のいずれか一項に記載の照明器具用ヒートシンクであり、
前記ベースの実装面に前記発光素子が実装され、
前記ベースの裏面及び前記ベースの裏面に固定された前記放熱板が、前記照明カバーで覆われていることを特徴とする照明器具。
【請求項６】
前記照明カバーが、略逆椀形状のカバー本体部と、前記カバー本体部の上部に位置する略筒状のカバー上体部を含み、
前記カバー上体部の上面及び側面の少なくとも一方に孔が設けられていることを特徴する請求項５記載の照明器具。
【請求項７】
前記カバー上体部の上面に孔が設けられ、
前記上面の孔を一定の距離を置いて覆うカサ状板を含むことを特徴とする請求項６記載の照明器具。
【請求項８】
前記発光素子が、ＬＥＤであることを特徴とする請求項６又は７記載の照明器具。
【請求項９】
高天井用照明若しくは屋外照明に用いられる請求項６から８のいずれか一項に記載の照明器具。
【発明の詳細な説明】
【技術分野】
【０００１】
本発明は、照明器具用ヒートシンク及び照明器具に関する。
【背景技術】
【０００２】
高天井の工場若しくは倉庫等の屋内、または駐車場若しくは運動場等の屋外で用いられる照明器具としては、十分に大きな光量（光束）を必要とするために、蛍光灯等に代えて水銀ランプ若しくはメタルハライドランプ等の高輝度放電ランプ（ＨＩＤランプ）を搭載した器具が用いられている。前記ＨＩＤランプは、光束が大きいのでこれら規模の大きな空間用の照明器具として適している。
【０００３】
しかし、前記ＨＩＤランプは、以下に挙げる問題点を有する。すなわち、まず、前記ＨＩＤランプは、水銀若しくはハロゲン化合物等を多く含むために、破損等により前記物質が拡散する可能性がある。また、前記ＨＩＤランプの内、特に水銀ランプは、発光効率が、約５０ルーメン毎ワット（ｌｍ／Ｗ）であり、メタルハライドランプの発光効率約７０〜１３０ルーメン毎ワット（ｌｍ／Ｗ）に比べて低く、発光効率の面で最も劣る。また、前記ＨＩＤランプの中では、メタルハライドランプのランプ寿命が６０００〜９０００時間と最も短く、次いで、水銀ランプは１２０００時間程度である。いずれにせよ、頻繁にランプの交換作業を必要とする。更に、前記ＨＩＤランプが、高天井に設けられた場合を踏まえると、交換頻度が多いことは作業性の点で大きな問題である。また、調光の非容易性の点でも問題がある。さらに、ランプ消灯後の再点灯の応答性が非常に悪いという問題がある。
【０００４】
これらの問題点を解決するために、近年では、前記ＨＩＤランプに代えて、ＬＥＤ（Ｌｉｇｈｔ−Ｅｍｉｔｔｉｎｇ  Ｄｉｏｄｅ）照明器具が用いられている（特許文献１参照）。
【０００５】
ところが、ＬＥＤの１デバイスあたりの発光強度は、３００〜８００ルーメン毎ワットであり、ＨＩＤランプと比較して非常に小さい。そのため、ＬＥＤを高天井の工場等に用いられる照明器具として利用する場合に、１台の照明器具に対して多数のＬＥＤデバイスを必要とする。そして、これにより、前記照明器具に装着したＬＥＤによる発熱量が多くなるため、効率よく使用するには十分に放熱させる必要がある。そのためにヒートシンク（放熱器）等を用いて放熱し、ＬＥＤの発光効率を向上させる必要がある。これに対し、特許文献２では、放熱性能改善のため、ヒートシンクに加え、前記ヒートシンクを冷却する冷却ファンを有する照明器具が開示されている。
【先行技術文献】
【特許文献】
【０００６】
【特許文献１】特開２００４−２６５７０８号公報
【特許文献２】特開２００５−２９２２６５号公報
【発明の概要】
【発明が解決しようとする課題】
【０００７】
しかしながら、大光量ＬＥＤの放熱性能向上のために、前記特許文献２記載の電気機器のように、冷却ファンをさらに設けると、結果として、照明器具が大型化され、それに伴い、照明器具全体の重量が増えてしまうことになる。その結果、前記ＨＩＤランプを備えた照明器具と比べても重量が増える傾向にある。このため、天井への過重負担が増え、特に古い建屋などは地震の多い日本では問題がある。しかも、前記特許文献２記載の電気機器のように、冷却ファンを設けると、前記冷却ファンを動かすための電力が必要となり、冷却ファンの寿命も考慮しなければならなくなる。
【０００８】
そこで、本発明は、軽量かつ優れた放熱性能を有する照明器具用ヒートシンク及び照明器具の提供を目的とする。
【課題を解決するための手段】
【０００９】
前記目的を達成するために、本発明の照明器具用ヒートシンクは、発光素子を実装するための実装面と、前記実装面と反対側の裏面を含むベースと、固定板部と、前記固定板部に対し略垂直方向に起立した本体板部を夫々含む複数の放熱板と、リベットと、を含み、前記夫々の放熱板は、前記ベースの裏面に前記固定板部が前記リベットで固定した状態で配置され、前記本体板部の一端が前記裏面の中心側に位置し、前記本体板部の他端が前記裏面の周辺側に位置し、複数の前記放熱板において、前記本体板部一端は、前記裏面の周辺から前記他端を通り中心点に向かう半径方向に対し、前記裏面に沿って同じ方向に傾斜するとともに前記本体板部の一端側の延長面が前記中心点を通らない状態で位置し、前記リベットの前記実装面側の先端が前記実装面から突出していないことを特徴とする。
【００１０】
本発明の照明器具は、発光素子、照明器具用ヒートシンク、及び照明カバーを含み、前記照明器具用ヒートシンクは、本発明の前記照明器具用ヒートシンクであり、前記ベースの実装面に前記発光素子が実装され、前記ベースの裏面及び前記ベースの裏面に固定された前記放熱板が、前記照明カバーで覆われていることを特徴とする。
【発明の効果】
【００１１】
本発明によれば、軽量かつ優れた放熱性能を有する照明器具用ヒートシンク及び照明器具を提供可能である。
【図面の簡単な説明】
【００１２】
【図１】図１は、実施形態１の照明器具用ヒートシンクの一例を示す図であり、同図（Ａ）は、下面図であり、同図（Ｂ）は、平面図であり、同図（Ｃ）は、同図（Ｂ）のＩ−Ｉ方向から見た場合の断面図であり、同図（Ｄ）は、同図（Ｃ）の破線で囲まれた領域の拡大図である。
【図２】図２は、図１に示す照明器具用ヒートシンクの斜視図を示す。
【図３】図３（Ａ）は、加工処理を行う前の図１（Ｂ）の照明器具用ヒートシンクのＩ−Ｉ方向から見たときの断面図を示し、図３（Ｂ）は、同図（Ａ）における破線で囲まれた領域の拡大図を示す。
【図４】図４は、実施形態２の照明器具用ヒートシンクの一例を示す図である。図４（Ａ）は、下面図であり、図４（Ｂ）は、平面図である。
【図５】図５は、実施形態２の照明器具用ヒートシンクの別の一例を示す図である。図５（Ａ）は、下面図であり、図５（Ｂ）は、平面図である。
【図６】図６は、実施形態３の照明器具の一例を示す図である。同図（Ａ）は、下面図であり、同図（Ｂ）は、平面図であり、同図（Ｃ）は、正面図であり、同図（Ｄ）は、斜視図である。
【図７】図７は、実施形態３の照明器具の別の一例を示す下面図である。
【図８】図８は、実施形態３の照明器具の別の一例を示す下面図である。
【図９】図９は、実施形態３の照明器具の別の一例を示す斜視図である。
【図１０】図１０（Ａ）〜（Ｃ）は、実施形態３の照明器具の別の一例を示す斜視図である。
【発明を実施するための形態】
【００１３】
以下、本発明の照明器具用ヒートシンク及び照明装置について、図面を参照して詳細に説明する。ただし、本発明は、以下の説明に限定されない。なお、以下の図１から図１０において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１４】
［実施形態１］
図１は、本実施形態の照明器具用ヒートシンクの一例を示す図であり、同図（Ａ）は、下面図であり、同図（Ｂ）は、平面図であり、同図（Ｃ）は、同図（Ｂ）のＩ−Ｉ方向から見た場合の断面図であり、同図（Ｄ）は、同図（Ｃ）の破線で囲まれた領域の拡大図である。図２は、図１に示す照明器具用ヒートシンク１０の斜視図を示す。
【００１５】
本実施形態では、照明器具用ヒートシンク１０は、同図（Ａ）〜（Ｄ）に示すように、ベース１と、放熱板２と、リベット３と、を主要な構成要素として含む。
【００１６】
ベース１は、同図（Ａ）及び（Ｂ）に示すように、発光素子（図示せず）を実装するための実装面１Ａと、実装面１Ａと反対側の裏面１Ｂを含む。そして、２４個の放熱板２は、同図（Ｂ）に示すように、裏面１Ｂ上に配置されている。尚、同図では、放熱板２は、２４個で構成されているが、本実施形態において、放熱板２の数は、これに限定されず、１つであっても良いし、複数であっても良い。
【００１７】
本実施形態の放熱板は、同図（Ｂ）に示すように、固定板部４と、本体板部５と、を有する。本体板部５は、図２の斜視図に示すように、固定板部４に対し略垂直方向に起立している。そして、放熱板２は、ベース１の裏面１Ｂに固定板部４がリベット３で固定した状態で配置されている。これにより、ベース１と放熱板２とは、互いが接触するようにして固定される。
【００１８】
また、同図（Ｃ）及び（Ｄ）に示すように、リベット３の実装面１Ａ側の先端３Ａが実装面１Ａから突出していない。すなわち、ベース１の実装面１Ａは、略平坦状であるため、同図の照明器具用ヒートシンク１０は、前記発光素子を実装面１Ａに密着して配置できる。但し、本実施形態において、前記「リベット３の実装面１Ａ側の先端３Ａが実装面１Ａから突出していない」とは、例えば、前記リベット３の実装面１Ａ側の先端３Ａが、図１（Ｃ）及び（Ｄ）に示すように、ベース１の実装面１Ａに突出しなければよく、例えば、リベット３の実装面１Ａ側の先端３Ａが実装面１Ａにまで達していないことで、リベット３の実装面１Ａ側の先端３Ａと実装面１Ａとが、段差があっても良い。
【００１９】
同図の照明器具用ヒートシンク１０は、前記発光素子を実装面１Ａに密着できるように配置できる。そして、同図のベース１の裏面１Ｂでは、２４個の放熱板２が、裏面１Ｂに接触するように配置されている。このため、本実施形態の照明器具用ヒートシンク１０は、前記発光素子にて発生した熱が、ベース１を介して直接、放熱板２に伝わりやすくなる。これにより、本実施形態の照明器具用ヒートシンク１０は、優れた放熱性能を有する。そして、本実施形態の照明器具用ヒートシンク１０は、前述の通り、優れた放熱性能を有するために、例えば、特許文献２記載のように、ファン等を設ける必要がないため、必要最小限の構成で設計することができる。これにより、本実施形態の照明器具用ヒートシンク１０は、軽量化も図れる。また、本発明によれば、特許文献２記載のようにファン等を設ける必要がないため、前記ファンを設けるための電力も不要であるため、これに伴う電力消費を抑えることができ、前記ファンの寿命等といったメンテナンスについて考慮する必要もなくなる。また、本実施形態の照明器具用ヒートシンク１０は、例えば、リベット３によりベース１と放熱板２とを組み立てればよく、金型成型を必要とせず、製造コストを軽減する事ができる。
【００２０】
ここで、貫通したリベット３の実装面１Ａ側の先端３Ａが、実装面１Ａから突出しないようにするための加工処理の一例を説明する。図３（Ａ）は、前記加工処理を行う前の図１（Ｂ）の照明器具用ヒートシンク１０のＩ−Ｉ方向から見たときの断面図を示し、図３（Ｂ）は、同図（Ａ）における破線で囲まれた領域の拡大図を示す。同図（Ａ）及び（Ｂ）に示す照明器具用ヒートシンク１０では、リベット３の実装面１Ａ側の先端３Ａが、ベース１を貫き、実装面１Ａを超えて突出している。この場合、まず、実装面１Ａを超えて突き出た部分７Ａを削り落とす。ここで、削り落とされた面を平滑にするために、前記削り落とされた面を研磨しても良い。そして、リベット３を加熱により溶接する。このようにすれば、図１（Ｃ）及び（Ｄ）に示すように、実装面を略平坦状にすることが出来る。そして、これにより、リベット３の実装面１Ａ側の先端３Ａを介してリベット３上についても放熱部位とすることができる。
【００２１】
本実施形態では、照明器具用ヒートシンク１０に、固定手段としてリベット３を用いるが、これは、以下の理由に基づく。すなわち、まず、前記固定手段として、例えば、接着剤等を用いた場合、ベース１と放熱板２との間に接着層が介在することになるため、熱が放熱板２に伝わりにくいため、放熱性能が劣るという問題が生じる。一方、前記固定手段としてねじ若しくはリベットを用いれば、前記問題点については解消できる。ここで、前記固定手段としてリベットを用いた場合、ベース１と固定板部４との固定箇所は、例えば、図１に示すように、２箇所のみ設ければ安定に固定する事ができるので、例えば、ねじのように前記固定箇所を多く設ける必要はない。また、前記固定手段としてリベットを用いれば、ねじを刻むためのタップを立てることなく、ベース１と固定板部４とを固定する事ができる。一方、例えば、前記固定手段としてねじを用いた場合は、板状にタップを立てる必要が有る。しかしながら、ここで、ベース１及び固定板部４の材質としてアルミニウム等の軽金属を用いた場合には、タップを立てるための十分な厚みが必要であるという問題点がある。また、前記材質として、カーボンを主体として複合材料を用いた場合に、タップを立てにくいという問題点がある。これに対し、前記固定手段としてリベットを用いれば、前記問題点が生じることがない。
【００２２】
本実施形態において、ベース１は、図１（Ａ）〜（Ｂ）に示すように、円盤形状をしていることが好ましい。但し、本実施形態において、ベース１の形状は、これに限定されず、使用する用途に応じた形状であって良い。具体的な形状としては、例えば、正方形、長方形等の形状が挙げられる。
【００２３】
本実施形態において、放熱板２は、図２に示すように、固定板部４と、本体板部５とが、一体部材から形成されており、正面から見た場合に略Ｌ字状の形状をしていることが好ましい。但し、本実施形態における前記放熱板は、これに限定されず、例えば、固定板部４と、本体板部５とを別素材とし、それぞれを組み立てても良い。また、前記放熱板の形状として、例えば、正面から見た場合に逆Ｔ字形状等であっても良い。
【００２４】
図１（Ｂ）に示す２４個の放熱板２は、各本体板部５の一端５Ａが、裏面１Ｂの中心側に位置し、本体板部５の他端５Ｂが、裏面１Ｂの周辺側に位置している。そして、２４個の放熱板２は、同図に示すように、本体板部５の一端５Ａは、裏面１Ｂの周辺から中心点１Ｃに向かう方向に対し、同じ方向に傾斜した状態で位置している。このようにして各放熱板２を配置することにより、ベース１により多くの放熱板２を配置することができるため好ましい。そして、これにより、放熱面積を増やすことが出来るので、放熱性能がより向上する。但し、本実施形態において、各放熱板２の並べ方は、これに限定されない。
【００２５】
本実施形態における放熱板２の材質としては、特に制限されないが、アルミニウム及びその合金、マグネシウム及びその合金、鉄及びその合金、銅及びその合金、チタン及びその合金、カーボン、カーボンコンポジット等が挙げられる。前記アルミニウム合金としては、例えば、アルミニウム−マグネシウム（Ａｌ−Ｍｇ）合金、アルミニウム−マンガン（Ａｌ−Ｍｎ）合金、アルミニウム−マグネシウム−シリコン（Ａｌ−Ｍｇ−Ｓｉ）合金等が挙げられる。前記マグネシウム合金としては、例えば、マグネシウム−アルミニウム−亜鉛（Ｍｇ−Ａｌ−Ｚｎ）合金、マグネシウム−アルミニウム（Ｍｇ−Ａｌ）合金、マグネシウム−亜鉛（Ｍｇ−Ｚｎ）合金等が挙げられる。前記カーボンコンポジットとしては、例えば、アルミニウムとカーボンとの複合材、マグネシウムとカーボンとの複合材、チタンとカーボンとの複合材等が挙げられる。アルミニウム及びその合金、マグネシウム及びその合金、カーボンコンポジットを用いればより軽量化することが可能となり、また、熱伝導性においても優れている。また、鉄及びその合金を用いれば、製造コストをより低減可能となる。また、銅及びその合金を用いれば、放熱性能がより向上する。また、チタン及びその合金を用いれば、強度が向上する。また、カーボン又はカーボンコンポジットを用いれば難燃性が向上する。また、放熱板２の形成材料は、例えば、熱伝導性フィラー含有させた樹脂でもよい。前記樹脂としては、例えば、ポリブチレンテレフタレート（ＰＢＴ）、ポリエチレンテレフタレート（ＰＥＴ）、ポリカーボネート（ＰＣ）、ポリアミド（ＰＡ），ポリフェニレンサルファイド（ＰＰＳ）、ポリメタクリル酸メチル（ＰＭＭＡ）等があげられる。本実施形態において、放熱板２の材質は、軽量化及び熱伝導性の観点からアルミニウム、マグネシウム及びその合金、カーボンコンポジット、カーボンであることが好ましい。さらに難燃性の観点から、カーボンであることがより好ましい。これらは、単独で用いても良いし、複数用いても良い。
【００２６】
また、本実施形態におけるベース１の材質については、特に制限されず、例えば、放熱板２の材質として例示した前記材質を用いても良い。
【００２７】
［実施形態２］
図４は、本実施形態の照明器具用ヒートシンクの一例を示す図である。図４（Ａ）は、下面図であり、図４（Ｂ）は、平面図である。
【００２８】
同図（Ａ）及び（Ｂ）に示すように、照明器具用ヒートシンク２０は、外気との通気を良くして放熱性能を向上させるため、ベース１の中央部に孔１１を設け、更に周辺部に８個の孔１２を設けている。また、本実施形態の照明器具用ヒートシンク２０は、実装面１Ａ上に配置される複数の発光素子の間に前記発光素子を固定するための孔１３が照明器具用ヒートシンク２０上に散在している。これら以外は、図４の照明器具用ヒートシンク２０は、図１の照明器具用ヒートシンク１０と同一である。
【００２９】
同図（Ａ）及び（Ｂ）に示すように、中央部の孔１１は、ベース１の裏面１Ｂ上に配置された２４個の放熱板２における、本体板部５の一端５Ａ側の近傍に設けられている。また、同図（Ａ）及び（Ｂ）に示すように、周辺部の８個の孔１２の各部分には、それぞれ３個の放熱板２の本体板部５の他端５Ｂ側が位置する状態で、放熱板２が配置されている。すなわち、２４個の放熱板２の他端５Ｂ側全てが８個の孔１２の部分に位置する状態で、２４個の放熱板２が配置されている。このようにして、中央部及び周辺部に孔１１及び１２を設けることにより、各本体板部５の一端５Ａ側と他端５Ｂ側との間の通気が図れるため、空気が温度の高い方から低い方へ移動しやすくなる。これにより、前記発光素子にて発生した熱が、ベース１を介して直接放熱板２を伝わり、前記熱が照明器具用ヒートシンク２０から放出され、外部に逃げやすくなるため、同図に示す照明器具用ヒートシンク２０は、熱交換の効率が向上する。
【００３０】
尚、本実施形態において、さらに照明器具用ヒートシンク２０上に前記発光素子と電源とを電気的に接続するための配線用の孔を設けても良い。また、前記配線を前記電源に通すために中央部の孔１１を利用しても良い。
【００３１】
図５は、本実施形態の照明器具用ヒートシンクの別の一例を示す図である。図５（Ａ）は、下面図であり、図５（Ｂ）は、平面図である。
【００３２】
同図（Ａ）及び（Ｂ）に示す照明器具用ヒートシンク３０は、更に外気との通気を良くして放熱性能を向上させるため、図４の中央部の孔１１及び周辺部の孔１２に比べ、中央部の孔２１を大きくし、更に、周辺部に設けた４個の孔２２の面積を拡張した。また同図（Ａ）及び（Ｂ）に示す照明器具用ヒートシンク３０は、図４（Ａ）及び（Ｂ）に示す照明器具用ヒートシンク２０と同様に、孔１３がベース１上に散在している。これら以外は、図５の照明器具用ヒートシンク３０は、図１の照明器具用ヒートシンク１０と同一である。
【００３３】
図５（Ａ）及び（Ｂ）に示すように、中央部の孔２１の部分には、放熱板２の本体板部５の一端５Ａ側が位置する状態で放熱板２が配置されている。また、同図（Ａ）及び（Ｂ）の照明器具用ヒートシンク３０では、孔２２の部分には、放熱板２の本体板部５の他端５Ｂ側が位置する状態で放熱板２が配置されている。このように同図の放熱板２では、さらに、一端５Ａ側の一部が、径を大きくした孔２１の直上に位置するため、前記発光素子にて発生した熱が照明器具用ヒートシンク２０から放出され、前記熱をより外部に逃がしやすくできるため、熱交換の効率がより向上する。
【００３４】
図４及び図５に示すベース１には、中央部及び周辺部に孔が設けられているが、本実施形態ではこれに限定されず、中央部及び周辺部の少なくとも一方に孔が設けられていればよい。また、本実施形態において、本体板部の一部が前記孔の部分に位置する状態で前記ベースに配置されていても、いなくてもよいが、配置されていることが好ましい。
【００３５】
尚、図４及び図５に示す周辺側の孔１２（２２）は、複数に分割されているが、本実施形態において、これに限定されず、例えば、孔１２（２２）の部分に、全ての放熱板２の他端５Ｂ側が位置する状態で、放熱板２をベース１に配置するように、１つのリング形状の孔１２（２２）を設けても良い。
【００３６】
［実施形態３］
本実施形態の照明器具は、実施形態１若しくは２の照明器具用ヒートシンクと、発光素子と、照明カバーとを主要構成要素として含む。
【００３７】
図６に、本実施形態の照明器具の一例を示す。同図（Ａ）は、下面図である。同図（Ｂ）は、平面図であり、同図（Ｃ）は、正面図であり、同図（Ｄ）は、斜視図である。同図（Ａ）に示す照明器具１００では、実施形態２の図４に示す照明器具用ヒートシンク２０の実装面１Ａに、１２個の発光素子５０が配置されている。同図（Ａ）に示すように、発光素子５０は、実装面１Ａ上に同心円状に配置されている。すなわち、実装面１Ａの中央部に３個の発光素子５０が同心円状に配置され、周辺部に９個の発光素子５０が、同心円状に配置されている。同図（Ａ）では図示していないが、発光素子５０は、互いが配線を介して電気的に接続されている。前記配線は、例えば、外部に取り付けられた点灯装置に接続されている。同図では、点灯装置が、器具内部に設けられておらず、外部に設けられている。これにより、軽量化を図ることができる。尚、本実施形態において、前述の通り、本実施形態の照明器具は、冷却ファンなどを搭載しておらず、軽量化が図られているため、前記点灯装置を器具内部に搭載しても良い。
【００３８】
同図（Ｂ）〜（Ｄ）に示すように、照明器具用ヒートシンク２０の裏面１Ｂ及び裏面１Ｂに固定された放熱板２が、照明カバー４０で覆われている。そして、照明カバー４０は、例えば、天井に取り付けるための器具取り付け部６０を含んでいる。
【００３９】
照明カバー４０は、例えば、同図（Ｂ）〜（Ｄ）に示すように、略逆椀形状のカバー本体部４１と、カバー本体部の上部に位置する略筒状のカバー上体部４２とを含む。カバー上体部４２の上面には、中央部に１つの孔４３を有し、周辺部に６つの孔４４を有する。そして、孔４３及び４４は、同図に示すように、例えば、孔４３及び４４を真上方向から見た場合に全ての放熱板２の本体板部４の一部がカバー上体部４２の孔４３及び４４を通して見えるように設けられている。このように、カバー上体部４２に孔４３及び４４を設けることにより、照明器具用ヒートシンク２０から放出された熱を外部に逃すことができ、熱交換の効率が向上するため好ましい。
【００４０】
また、本実施形態において、図７に示すように、発光素子を保護するための保護カバー５１により、実装面に配置された全ての発光素子５０を覆っても良い。図７は、図６に示す照明器具１００に発光素子保護カバーを取り付けたときの下面図を示す。同図に示すように、保護カバー５１には、３点の孔３２が設けられている。これは、照明器具１００及び保護カバー５１（配光に角度をつける場合には、リフレクター及び保護カバー３１）を取り付けるためのものである。
【００４１】
図８は、本実施形態の照明器具の別の一例を示す下面図である。同図に示す照明器具２００では、実施形態２の図５に示す照明器具用ヒートシンク３０の実装面１Ａに、１２個の発光素子５０が同心円状に配置されている。これら以外は、図６に示す照明器具１００と同一である。そして、図８の照明器具２００においても、発光素子５０が、図６の照明器具１００と同様に、互いが配線を介して電気的に接続されている。
【００４２】
同図に示す照明器具２００には、全ての発光素子を覆うように、リング形状をした保護カバーを設けても良い。また、保護カバー３１の表面には、図６の照明器具と同様にして、孔３２を設けても良い。
【００４３】
図６及び図８に示す照明器具では、複数の発光素子５０は、同心円状に配置されている。但し、本実施形態は、これに限定されず、例えば、複数の発光素子５０を散在させるようにして配置しても良い。
【００４４】
前記発光素子としては、特に制限されず、例えば、ＬＥＤ（Ｌｉｇｈｔ−Ｅｍｉｔｔｉｎｇ  Ｄｉｏｄｅｓ）、有機ＥＬ（Ｏｒｇａｎｉｃ  Ｅｌｅｃｔｒｏ  Ｌｕｍｉｎｅｓｃｅｎｃｅ）等が挙げられる。前記ＬＥＤとしては、特に制限されないが、例えば、基板実装型のＬＥＤ、ＣＯＢ（Ｃｈｉｐ  ｏｎ  Ｂｏａｒｄ）ＬＥＤ等が挙げられる。前記発光素子は、一般的な手法により、実装面１Ａ上に配置して良い。
【００４５】
本実施形態において、前記保護カバーとしては、前記発光素子を保護するための一般的な保護カバーに限定されず、例えば、前記発光素子の発光を拡散又は収束する機能を有するカバーを使用しても良い。
【００４６】
同図では、前記カバー状態部の中央部及び周辺部の両方に孔を有しているが、本実施形態では、これに限定されず、例えば、前記上部中央部及び周辺部の少なくとも一方を有してもよいし、有していなくても良い。
【００４７】
図９は、本実施形態の照明器具の別の一例を示す斜視図である。同図に示す照明器具５００は、図６に示す孔４３及び４４に代えて、カバー上体部４２の側面部に複数の孔４５を設けていること以外は、図６の照明器具１００と同一である。このように、前記側面部に孔４５を設けることにより、照明器具用ヒートシンク２０から効率よく熱を外部に逃がすことができるので熱交換の効率が向上するとともに、照明器具５００の上方から埃等が入らないようにすることが出来る。
【００４８】
図１０（Ａ）は、本実施形態の照明器具の別の一例を示す斜視図である。同図（Ａ）の照明器具６００は、図６の照明器具１００のカバー上体部４２の上面の孔４３及び４４を一定の距離を置いて覆うカサ状板６１を含む。同図（Ａ）では、１枚のカサ状板６１が、全ての孔４３及び４４を覆うように、取り付け部６０に接続された状態で設けられている。これにより、放熱板２から効率よく外部に熱を逃がし、熱交換の効率が向上するとともに、照明器具６００の上方から埃等が入らないようにすることが出来る。尚、本実施形態では、これに限定されず、例えば、同図（Ｂ）に示すように、各孔４４を覆うように、６個のカサ状板６２を、それぞれ２つの柱６３及び６４で固定して設けても良いし、同図（Ｃ）に示すように、埃等がカサ状板上に堆積することを防止するために、同図（Ａ）のカサ状板６１を両端側に向かって傾斜させたカサ状板６５を設けても良い。
【００４９】
本実施形態の照明器具は、例えば、倉庫、工場等の大規模空間の高天井用照明器具として好適に使用する事が出来る。但し、本実施形態の照明器具は、高天井用の用途に限定されず、例えば、屋外用に用いられる駐車場灯、道路灯等の灯光器としても利用可能である。
【００５０】
以上、実施形態を参照して本発明を説明したが、本発明は、上記実施形態に限定されるものではない。本発明の構成や詳細には、本発明のスコープ内で当業者が理解しうる様々な変更をすることができる。
【符号の説明】
【００５１】
１      ベース
１Ａ    実装面
１Ｂ    裏面
２      放熱板
３      リベット
３Ａ    リベットの実装面側の先端
４      固定板部
５      本体板部
５Ａ    一端
５Ｂ    他端
７Ａ    突き出た部分
１０、２０、３０    照明器具用ヒートシンク
１００、２００、５００、６００  照明器具
【図１】
0006544615.tif 000002
【図２】
0006544615.tif 000003
【図３】
0006544615.tif 000004
【図４】
0006544615.tif 000005
【図５】
0006544615.tif 000006
【図６】
0006544615.tif 000007
【図７】
0006544615.tif 000008
【図８】
0006544615.tif 000009
【図９】
0006544615.tif 000010
【図１０】
0006544615.tif 000011